(57)【要約】【課題】無線ＬＡＮにおいて通信端末との無線通信を行う無線ＬＡＮアクセスポイントの台数を調整する。【解決手段】無線ＬＡＮ２０は、IEEE802.11s規格に準拠し、互いに近距離に配置された複数の近接無線ＬＡＮアクセスポイント２０Ｅ、２０Ｆであるアクセスポイント群２２を有する。アクセスポイント制御装置１０は、近接無線ＬＡＮアクセスポイント２０Ｅ、２０Ｆを制御する。アクセスポイント制御装置１０は、近接無線ＬＡＮアクセスポイント２０Ｅ、２０Ｆの識別情報を記録する識別情報記録部１２と、識別情報記録部１２の記録内容に基づき、いずれか一つ以上の近接無線ＬＡＮアクセスポイント２０Ｆに通信端末３０ａ〜３０ｄとの通信の停止を指示し、通信停止を指示した近接無線ＬＡＮアクセスポイント以外の近接無線ＬＡＮアクセスポイント２０Ｅに通信端末との通信を指示するアクティブ・スタンバイ指示部１４とを備える。【選択図】図３
2019036815.tif 000002
【特許請求の範囲】
【請求項１】
互いに近距離に配置され、通信端末との通信を行う複数の近接無線ＬＡＮアクセスポイントであるアクセスポイント群を有する無線ＬＡＮにおける前記近接無線ＬＡＮアクセスポイントを制御するアクセスポイント制御装置であって、
前記近接無線ＬＡＮアクセスポイントの識別情報を記録する識別情報記録部と、
前記識別情報記録部の記録内容に基づき、いずれか一つ以上の前記近接無線ＬＡＮアクセスポイントに前記通信端末との通信の停止を指示し、前記通信端末との通信の停止を指示した前記近接無線ＬＡＮアクセスポイント以外の前記近接無線ＬＡＮアクセスポイントに前記通信端末との通信を指示する端末通信指示部と、
を備えたアクセスポイント制御装置。
【請求項２】
請求項１に記載のアクセスポイント制御装置であって、
前記無線ＬＡＮが、IEEE802.11s規格に準拠しており、
前記近接無線ＬＡＮアクセスポイントが、前記通信端末との通信の停止をしているか否かに関わらず、前記無線ＬＡＮに属する他の無線ＬＡＮアクセスポイントとの通信を行う、
アクセスポイント制御装置。
【請求項３】
請求項１または２に記載のアクセスポイント制御装置であって、
前記近接無線ＬＡＮアクセスポイントの一つが、他の前記近接無線ＬＡＮアクセスポイントから、第一強度閾値以上の強度の電波を受信する、
アクセスポイント制御装置。
【請求項４】
請求項１ないし３のいずれか一項に記載のアクセスポイント制御装置であって、
前記無線ＬＡＮが、前記アクセスポイント群に属しない遠隔無線ＬＡＮアクセスポイントを有し、
前記近接無線ＬＡＮアクセスポイントおよび前記遠隔無線ＬＡＮアクセスポイントは、いずれも無線ＬＡＮアクセスポイントであり、
前記近接無線ＬＡＮアクセスポイントが、第一台数閾値以上の前記無線ＬＡＮアクセスポイントから、前記第一強度閾値未満である第二強度閾値以上の強度の電波を受信し、
二台以上の前記近接無線ＬＡＮアクセスポイントの各々が、共通する第二台数閾値以上の前記無線ＬＡＮアクセスポイントから、前記第二強度閾値以上の強度の電波を受信し、
二台以上の前記近接無線ＬＡＮアクセスポイントの各々が共通する前記無線ＬＡＮアクセスポイントから受信している電波の強度の差分が、いずれの共通する前記無線ＬＡＮアクセスポイントについても、所定の差分閾値以下である、
アクセスポイント制御装置。
【請求項５】
請求項１ないし４のいずれか一項に記載のアクセスポイント制御装置であって、
前記端末通信指示部は、前記端末通信指示部により前記通信端末との通信の停止を指示された前記近接無線ＬＡＮアクセスポイントであるスタンバイ近接無線ＬＡＮアクセスポイントに前記通信端末との通信を指示するアクセスポイント制御装置。
【請求項６】
請求項５に記載のアクセスポイント制御装置であって、
前記端末通信指示部は、
（１）前記端末通信指示部により前記通信端末との通信を指示された前記近接無線ＬＡＮアクセスポイントであるアクティブ近接無線ＬＡＮアクセスポイントに障害が発生した場合、または
（２）前記アクティブ近接無線ＬＡＮアクセスポイントにより受信されている前記第二強度閾値以上の強度の電波を送信するいずれか一つ以上の前記無線ＬＡＮアクセスポイントから、前記アクティブ近接無線ＬＡＮアクセスポイントが前記第二強度閾値以上の強度の電波を受信できなくなった場合、または
（３）前記アクティブ近接無線ＬＡＮアクセスポイントと通信を行う前記通信端末の台数が第三台数閾値以上に増加した場合に、
前記スタンバイ近接無線ＬＡＮアクセスポイントにアクティブを指示するアクセスポイント制御装置。
【請求項７】
請求項１に記載のアクセスポイント制御装置であって、
前記通信端末との通信の停止を指示された前記近接無線ＬＡＮアクセスポイントが、前記無線ＬＡＮにおけるチャネルの状態を取得する、
アクセスポイント制御装置。
【請求項８】
互いに近距離に配置され、通信端末との通信を行う複数の近接無線ＬＡＮアクセスポイントであるアクセスポイント群を有する無線ＬＡＮにおける前記近接無線ＬＡＮアクセスポイントを制御するアクセスポイント制御方法であって、
前記近接無線ＬＡＮアクセスポイントの識別情報を記録する識別情報記録工程と、
前記識別情報記録工程の記録内容に基づき、いずれか一つ以上の前記近接無線ＬＡＮアクセスポイントに前記通信端末との通信の停止を指示し、前記通信端末との通信の停止を指示した前記近接無線ＬＡＮアクセスポイント以外の前記近接無線ＬＡＮアクセスポイントに前記通信端末との通信を指示する端末通信指示工程と、
を備えたアクセスポイント制御方法。
【発明の詳細な説明】
【技術分野】
【０００１】
本発明は、無線ＬＡＮ（Local Area Network）において通信端末との無線通信を行う無線ＬＡＮアクセスポイントの台数の調整に関する。
【背景技術】
【０００２】
従来より、複数の無線ＬＡＮ（Local Area Network）アクセスポイントを有する無線ＬＡＮが知られている。このような無線ＬＡＮにおいて、無線ＬＡＮアクセスポイントからの電波が到達せず、無線ＬＡＮによる通信ができない領域を「カバレッジホール」という（例えば、特許文献１を参照）。カバレッジホールを無くすためには、無線ＬＡＮにおける無線ＬＡＮアクセスポイントの台数を増やすことが考えられる。
【０００３】
しかし、無線ＬＡＮにおける無線ＬＡＮアクセスポイントの台数が多すぎると、電波干渉が発生し、無線通信に支障をきたす。
【先行技術文献】
【特許文献】
【０００４】
【特許文献１】特開２０１７−０３８２９９号公報
【発明の概要】
【発明が解決しようとする課題】
【０００５】
よって、無線ＬＡＮにおいて通信端末との無線通信を行う無線ＬＡＮアクセスポイントの台数は多過ぎても、少な過ぎてもよくない。
【０００６】
そこで、本発明は、無線ＬＡＮにおいて通信端末との無線通信を行う無線ＬＡＮアクセスポイントの台数の調整を課題とする。
【課題を解決するための手段】
【０００７】
本発明にかかるアクセスポイント制御装置は、互いに近距離に配置され、通信端末との通信を行う複数の近接無線ＬＡＮアクセスポイントであるアクセスポイント群を有する無線ＬＡＮにおける前記近接無線ＬＡＮアクセスポイントを制御するアクセスポイント制御装置であって、前記近接無線ＬＡＮアクセスポイントの識別情報を記録する識別情報記録部と、前記識別情報記録部の記録内容に基づき、いずれか一つ以上の前記近接無線ＬＡＮアクセスポイントに前記通信端末との通信の停止を指示し、前記通信端末との通信の停止を指示した前記近接無線ＬＡＮアクセスポイント以外の前記近接無線ＬＡＮアクセスポイントに前記通信端末との通信を指示する端末通信指示部とを備えるように構成される。
【０００８】
上記のように構成されたアクセスポイント制御装置は、互いに近距離に配置され、通信端末との通信を行う複数の近接無線ＬＡＮアクセスポイントであるアクセスポイント群を有する無線ＬＡＮにおける前記近接無線ＬＡＮアクセスポイントを制御する。識別情報記録部は、前記近接無線ＬＡＮアクセスポイントの識別情報を記録する。端末通信指示部は、前記識別情報記録部の記録内容に基づき、いずれか一つ以上の前記近接無線ＬＡＮアクセスポイントに前記通信端末との通信の停止を指示し、前記通信端末との通信の停止を指示した前記近接無線ＬＡＮアクセスポイント以外の前記近接無線ＬＡＮアクセスポイントに前記通信端末との通信を指示する。
【０００９】
なお、本発明にかかるアクセスポイント制御装置は、前記無線ＬＡＮが、IEEE802.11s規格に準拠しており、前記近接無線ＬＡＮアクセスポイントが、前記通信端末との通信の停止をしているか否かに関わらず、前記無線ＬＡＮに属する他の無線ＬＡＮアクセスポイントとの通信を行うようにしてもよい。
【００１０】
なお、本発明にかかるアクセスポイント制御装置は、前記近接無線ＬＡＮアクセスポイントの一つが、他の前記近接無線ＬＡＮアクセスポイントから、第一強度閾値以上の強度の電波を受信するようにしてもよい。
【００１１】
なお、本発明にかかるアクセスポイント制御装置は、前記無線ＬＡＮが、前記アクセスポイント群に属しない遠隔無線ＬＡＮアクセスポイントを有し、前記近接無線ＬＡＮアクセスポイントおよび前記遠隔無線ＬＡＮアクセスポイントは、いずれも無線ＬＡＮアクセスポイントであり、前記近接無線ＬＡＮアクセスポイントが、第一台数閾値以上の前記無線ＬＡＮアクセスポイントから、前記第一強度閾値未満である第二強度閾値以上の強度の電波を受信し、二台以上の前記近接無線ＬＡＮアクセスポイントの各々が、共通する第二台数閾値以上の前記無線ＬＡＮアクセスポイントから、前記第二強度閾値以上の強度の電波を受信し、二台以上の前記近接無線ＬＡＮアクセスポイントの各々が共通する前記無線ＬＡＮアクセスポイントから受信している電波の強度の差分が、いずれの共通する前記無線ＬＡＮアクセスポイントについても、所定の差分閾値以下であるようにしてもよい。
【００１２】
なお、本発明にかかるアクセスポイント制御装置は、前記端末通信指示部が、前記端末通信指示部により前記通信端末との通信の停止を指示された前記近接無線ＬＡＮアクセスポイントであるスタンバイ近接無線ＬＡＮアクセスポイントに前記通信端末との通信を指示するようにしてもよい。
【００１３】
なお、本発明にかかるアクセスポイント制御装置は、前記端末通信指示部は、（１）前記端末通信指示部により前記通信端末との通信を指示された前記近接無線ＬＡＮアクセスポイントであるアクティブ近接無線ＬＡＮアクセスポイントに障害が発生した場合、または（２）前記アクティブ近接無線ＬＡＮアクセスポイントにより受信されている前記第二強度閾値以上の強度の電波を送信するいずれか一つ以上の前記無線ＬＡＮアクセスポイントから、前記アクティブ近接無線ＬＡＮアクセスポイントが前記第二強度閾値以上の強度の電波を受信できなくなった場合、または（３）前記アクティブ近接無線ＬＡＮアクセスポイントと通信を行う前記通信端末の台数が第三台数閾値以上に増加した場合に、前記スタンバイ近接無線ＬＡＮアクセスポイントにアクティブを指示するようにしてもよい。
【００１４】
なお、本発明にかかるアクセスポイント制御装置は、前記通信端末との通信の停止を指示された前記近接無線ＬＡＮアクセスポイントが、前記無線ＬＡＮにおけるチャネルの状態を取得するようにしてもよい。
【００１５】
本発明は、互いに近距離に配置され、通信端末との通信を行う複数の近接無線ＬＡＮアクセスポイントであるアクセスポイント群を有する無線ＬＡＮにおける前記近接無線ＬＡＮアクセスポイントを制御するアクセスポイント制御方法であって、前記近接無線ＬＡＮアクセスポイントの識別情報を記録する識別情報記録工程と、前記識別情報記録工程の記録内容に基づき、いずれか一つ以上の前記近接無線ＬＡＮアクセスポイントに前記通信端末との通信の停止を指示し、前記通信端末との通信の停止を指示した前記近接無線ＬＡＮアクセスポイント以外の前記近接無線ＬＡＮアクセスポイントに前記通信端末との通信を指示する端末通信指示工程とを備えたアクセスポイント制御方法である。
【図面の簡単な説明】
【００１６】
【図１】本発明の第一の実施形態にかかる通信システムの構成を示す図である。
【図２】第一の実施形態にかかるアクセスポイント制御装置１０の構成を示す機能ブロック図である。
【図３】本発明の第一の実施形態にかかる通信システムにおける近接無線ＬＡＮアクセスポイント２０Ｅ、２０Ｆのアクティブおよびスタンバイの状態を示す図である。
【図４】本発明の第二の実施形態にかかる通信システムの構成を示す図である。
【図５】第二の実施形態おいて用いる閾値の一覧を示す図である。
【図６】第二の実施形態おけるコントローラ４０が取得する無線ＬＡＮアクセスポイント２０Ａ〜２０Ｈの情報の一例を示す図である。
【図７】本発明の第二の実施形態にかかる通信システムにおける近接無線ＬＡＮアクセスポイント２０Ｅ、２０Ｆのアクティブおよびスタンバイの状態を示す図である。
【図８】本発明の第二の実施形態にかかる通信システムにおいて、アクティブ近接無線ＬＡＮアクセスポイント２０Ｅに障害が発生した状態を示す図である。
【図９】本発明の第二の実施形態にかかる通信システムにおいて、アクティブ近接無線ＬＡＮアクセスポイント２０Ｅが、無線ＬＡＮアクセスポイント２０Ｂ、２０Ｃから第二強度閾値以上の強度の電波を受信できなくなった状態を示す図である。
【図１０】本発明の第二の実施形態にかかる通信システムにおいて、アクティブ近接無線ＬＡＮアクセスポイント２０Ｅの近傍に新たな通信端末３０ｅが配置された状態を示す図である。
【発明を実施するための形態】
【００１７】
以下、本発明の実施形態を図面を参照しながら説明する。
【００１８】
第一の実施形態
図１は、本発明の第一の実施形態にかかる通信システムの構成を示す図である。第一の実施形態にかかる通信システムは、無線ＬＡＮ２０、アクセスポイント制御装置１０、コントローラ４０、ＬＡＮケーブル５２、５４、通信端末３０ａ、３０ｂ、３０ｃ、３０ｄを備える。
【００１９】
無線ＬＡＮ２０は、無線通信を行うＬＡＮ（Local Area Network）であって、ＩＥＥＥ８０２．１１ｓ規格に準拠しているメッシュネットワークである。通信端末３０ａ、３０ｂ、３０ｃ、３０ｄは、ＩＥＥＥ８０２．１１ｓ規格に準拠しているメッシュネットワーク機能が無い、無線通信用の端末（例えば、パーソナルコンピュータ）である。
【００２０】
無線ＬＡＮ２０は、ＩＥＥＥ８０２．１１ｓ規格に準拠しているメッシュネットワーク機能を持つ無線ＬＡＮアクセスポイント２０Ａ、２０Ｂ、２０Ｃ、２０Ｄ、２０Ｅ、２０Ｆ、２０Ｇ、２０Ｈを有する。これらの無線ＬＡＮアクセスポイントのうち、無線ＬＡＮアクセスポイント２０Ｅ、２０Ｆを近接無線ＬＡＮアクセスポイントといい、それ以外（２０Ａ、２０Ｂ、２０Ｃ、２０Ｄ、２０Ｇ、２０Ｈ）を遠隔無線ＬＡＮアクセスポイントという。近接無線ＬＡＮアクセスポイント２０Ｅ、２０Ｆは、通信端末３０ａ〜３０ｄと無線通信を行う。図１の例においては、近接無線ＬＡＮアクセスポイント２０Ｅが通信端末３０ａ、３０ｂと無線通信を行い、近接無線ＬＡＮアクセスポイント２０Ｆが通信端末３０ｃ、３０ｄと無線通信を行う。通信端末３０ａ〜３０ｄは、近接無線ＬＡＮアクセスポイント２０Ｅ、２０Ｆの近傍に配置されている。
【００２１】
近接無線ＬＡＮアクセスポイント２０Ｅ、２０Ｆは、ＩＥＥＥ８０２．１１ｓ規格に準拠しているメッシュネットワークにおけるメッシュアクセスポイントとして機能し、他の無線ＬＡＮアクセスポイント（例えば、無線ＬＡＮアクセスポイント２０Ｂおよび２０Ｇ）どうしの無線通信を中継する。近接無線ＬＡＮアクセスポイント２０Ｅ、２０Ｆは、例えば、２．４ＧＨｚ帯の無線通信インタフェースを１個（他の無線ＬＡＮアクセスポイントどうしの無線通信の中継に使用する）、５ＧＨｚ帯の無線通信インタフェースを２個（通信端末３０ａ〜３０ｄとの無線通信に使用する）有している。
【００２２】
なお、無線ＬＡＮアクセスポイント２０Ａは、それ以外の無線ＬＡＮアクセスポイント２０Ｂ〜２０Ｈと、直接に、または間接的に（他の無線ＬＡＮアクセスポイントを介して）、無線通信可能である。例えば、無線ＬＡＮアクセスポイント２０Ａは、無線ＬＡＮアクセスポイント２０Ｈと、間接的に（無線ＬＡＮアクセスポイント２０Ｇを介して）、無線通信可能である。
【００２３】
無線ＬＡＮ２０は、アクセスポイント群２２を有する。アクセスポイント群２２は、互いに近距離に配置された複数の近接無線ＬＡＮアクセスポイント２０Ｅ、２０Ｆである。さらに、無線ＬＡＮ２０は、遠隔無線ＬＡＮアクセスポイント２０Ａ、２０Ｂ、２０Ｃ、２０Ｄ、２０Ｇ、２０Ｈを有する。遠隔無線ＬＡＮアクセスポイント２０Ａ、２０Ｂ、２０Ｃ、２０Ｄ、２０Ｇ、２０Ｈは、アクセスポイント群２２に属していない。
【００２４】
なお、「互いに近距離に配置された」（複数の近接無線ＬＡＮアクセスポイント２０Ｅ、２０Ｆ）とは、受信された電波の強度により決定することができる。例えば、近接無線ＬＡＮアクセスポイントの一つ２０Ｅ（または２０Ｆ）が、他の近接無線ＬＡＮアクセスポイント２０Ｆ（または２０Ｅ）から、第一強度閾値以上の強度の電波を受信していることを、「互いに近距離に配置された」とする要件とする。
【００２５】
例えば、第一強度閾値は、（受信された電波の強度）／（送信元における電波の強度）＝９５％とすればよい。
【００２６】
コントローラ４０は、ＬＡＮケーブル５２（および図示省略したスイッチ）を介して、無線ＬＡＮアクセスポイント２０Ａ〜２０Ｈのいずれか一つ（図１の例においては、無線ＬＡＮアクセスポイント２０Ａ）に接続されている。アクセスポイント制御装置１０は、ＬＡＮケーブル５４（および図示省略したスイッチ）を介して、コントローラ４０に接続されている。
【００２７】
コントローラ４０は、周知の無線ＬＡＮコントローラであり、無線ＬＡＮアクセスポイント２０Ａ〜２０Ｈの情報（例えば、無線ＬＡＮアクセスポイント２０Ａ〜２０Ｈの各々が、他の無線ＬＡＮアクセスポイントから受信した電波の強度）を取得することができる。なお、コントローラ４０は、無線ＬＡＮアクセスポイント２０Ａを介して、他の無線ＬＡＮアクセスポイント２０Ｂ〜２０Ｈの情報を取得する。
【００２８】
ただし、「無線ＬＡＮアクセスポイント２０Ａ〜２０Ｈの各々が、他の無線ＬＡＮアクセスポイントから受信した電波の強度」とは、無線ＬＡＮアクセスポイント２０Ａが他の無線ＬＡＮアクセスポイント２０Ｂ〜２０Ｈから受信した電波の強度、無線ＬＡＮアクセスポイント２０Ｂが他の無線ＬＡＮアクセスポイント２０Ａ、２０Ｃ〜２０Ｈから受信した電波の強度、無線ＬＡＮアクセスポイント２０Ｃが他の無線ＬＡＮアクセスポイント２０Ａ〜２０Ｂ、２０Ｄ〜２０Ｈから受信した電波の強度、…、および無線ＬＡＮアクセスポイント２０Ｈが他の無線ＬＡＮアクセスポイント２０Ａ〜２０Ｇから受信した電波の強度をいう。
【００２９】
アクセスポイント制御装置１０は、近接無線ＬＡＮアクセスポイント２０Ｅ、２０Ｆを、コントローラ４０および無線ＬＡＮアクセスポイント２０Ａを介して制御する。
【００３０】
図２は、第一の実施形態にかかるアクセスポイント制御装置１０の構成を示す機能ブロック図である。第一の実施形態にかかるアクセスポイント制御装置１０は、識別情報抽出部１１、識別情報記録部１２、アクティブ・スタンバイ指示部（端末通信指示部）１４を有する。
【００３１】
識別情報抽出部１１は、コントローラ４０から、無線ＬＡＮアクセスポイント２０Ａ〜２０Ｈの情報を取得し、近接無線ＬＡＮアクセスポイントとなる無線ＬＡＮアクセスポイントの識別情報を抽出する。例えば、識別情報抽出部１１は、コントローラ４０から、無線ＬＡＮアクセスポイント２０Ａ〜２０Ｈの各々が、他の無線ＬＡＮアクセスポイントから受信した電波の強度を取得し、第一強度閾値（例えば、９５％）以上の強度の電波を受信している無線ＬＡＮアクセスポイントの識別情報を抽出する。図１の例においては、識別情報抽出部１１が、無線ＬＡＮアクセスポイント２０Ｅ、２０Ｆの識別情報を抽出する。
【００３２】
識別情報記録部１２は、識別情報抽出部１１から、近接無線ＬＡＮアクセスポイントとなる無線ＬＡＮアクセスポイント２０Ｅ、２０Ｆの識別情報を受けて記録する。
【００３３】
アクティブ・スタンバイ指示部（端末通信指示部）１４は、識別情報記録部１２の記録内容に基づき、いずれか一つ以上の近接無線ＬＡＮアクセスポイントにスタンバイ（通信端末３０ａ〜３０ｄとの通信の停止）を指示し、スタンバイを指示した近接無線ＬＡＮアクセスポイント以外の近接無線ＬＡＮアクセスポイントにアクティブ（通信端末３０ａ〜３０ｄとの通信）を指示する。スタンバイを指示された近接無線ＬＡＮアクセスポイントは、かつて通信端末３０ａ〜３０ｄとの通信に使用していた５ＧＨｚ帯の無線通信インタフェースからの電波の送受信を行わない。
【００３４】
図３は、本発明の第一の実施形態にかかる通信システムにおける近接無線ＬＡＮアクセスポイント２０Ｅ、２０Ｆのアクティブおよびスタンバイの状態を示す図である。
【００３５】
図３の例においては、アクティブ・スタンバイ指示部（端末通信指示部）１４は、コントローラ４０および無線ＬＡＮアクセスポイント２０Ａを介して、近接無線ＬＡＮアクセスポイント２０Ｅ、２０Ｆのうち、近接無線ＬＡＮアクセスポイント（スタンバイ近接無線ＬＡＮアクセスポイント）２０Ｆにスタンバイを指示し、近接無線ＬＡＮアクセスポイント（アクティブ近接無線ＬＡＮアクセスポイント）２０Ｅにアクティブを指示する。
【００３６】
スタンバイ近接無線ＬＡＮアクセスポイント２０Ｆは、メッシュネットワークにおいて、メッシュポイントとして機能する。すなわち、スタンバイ近接無線ＬＡＮアクセスポイント２０Ｆは、他の無線ＬＡＮアクセスポイント（例えば、無線ＬＡＮアクセスポイント２０Ｂおよび２０Ｇ）どうしの無線通信を中継するものの、通信端末３０ｃ、３０ｄと無線通信は行わない。後述するように、通信端末３０ｃ、３０ｄは、スタンバイ近接無線ＬＡＮアクセスポイント２０Ｆのかわりに、アクティブ近接無線ＬＡＮアクセスポイント２０Ｅと無線通信を行う。スタンバイ近接無線ＬＡＮアクセスポイント２０Ｆは、アクティブになるべき時機（第二の実施形態において説明するアクティブ指示条件１〜３のいずれか）を待つ。
【００３７】
アクティブ近接無線ＬＡＮアクセスポイント２０Ｅは、メッシュネットワークにおけるメッシュアクセスポイントとして機能し、他の無線ＬＡＮアクセスポイント（例えば、無線ＬＡＮアクセスポイント２０Ｂおよび２０Ｇ）どうしの無線通信を中継することに加え、通信端末との無線通信も行う。すなわち、アクティブ近接無線ＬＡＮアクセスポイント２０Ｅは、通信端末３０ａ、３０ｂとの無線通信も引き続き行うが、通信端末３０ｃ、３０ｄとの無線通信も行う。
【００３８】
このように、近接無線ＬＡＮアクセスポイント２０Ｅ、２０Ｆは、通信端末３０ａ〜３０ｄとの通信を停止しているか否かに関わらず、他の無線ＬＡＮアクセスポイント（例えば、無線ＬＡＮアクセスポイント２０Ｂおよび２０Ｇ）との無線通信を行う。
【００３９】
次に、本発明の第一の実施形態の動作を説明する。
【００４０】
まず、コントローラ４０が、無線ＬＡＮアクセスポイント２０Ａを介して、無線ＬＡＮアクセスポイント２０Ａ〜２０Ｈの各々から、その無線ＬＡＮアクセスポイントが、他の無線ＬＡＮアクセスポイントから受信した電波の強度を取得する。
【００４１】
アクセスポイント制御装置１０の識別情報抽出部１１は、コントローラ４０から、各々の無線ＬＡＮアクセスポイントが受信した電波の強度を取得し、第一強度閾値（例えば、９５％）以上の強度の電波を受信している無線ＬＡＮアクセスポイント（近接無線ＬＡＮアクセスポイント２０Ｅ、２０Ｆ）の識別情報を抽出する。識別情報記録部１２は、識別情報抽出部１１の抽出結果を記録する。
【００４２】
アクティブ・スタンバイ指示部１４は、識別情報記録部１２の記録内容に基づき、いずれか一つの近接無線ＬＡＮアクセスポイント（近接無線ＬＡＮアクセスポイント２０Ｆ）にスタンバイを指示し、それ以外の近接無線ＬＡＮアクセスポイント（近接無線ＬＡＮアクセスポイント２０Ｅ）にアクティブを指示する。
【００４３】
この指示内容は、コントローラ４０および無線ＬＡＮアクセスポイント２０Ａを介して、近接無線ＬＡＮアクセスポイント２０Ｅ、２０Ｆに伝達される。近接無線ＬＡＮアクセスポイント２０Ｅ、２０Ｆは、この指示に従い、近接無線ＬＡＮアクセスポイント２０Ｆがスタンバイとなり、近接無線ＬＡＮアクセスポイント２０Ｅがアクティブとなる。
【００４４】
近接無線ＬＡＮアクセスポイント２０Ｅはメッシュネットワークにおけるメッシュアクセスポイントとして機能し（通信端末３０ａ〜３０ｄとの無線通信を行う）、近接無線ＬＡＮアクセスポイント２０Ｆはメッシュポイントとして機能する（通信端末３０ａ〜３０ｄとの無線通信を行わない）。ただし、近接無線ＬＡＮアクセスポイント２０Ｅおよび２０Ｆは、他の無線ＬＡＮアクセスポイント（例えば、無線ＬＡＮアクセスポイント２０Ｂおよび２０Ｇ）との無線通信を行うことは共通する。
【００４５】
無線ＬＡＮ２０におけるカバレッジホールを無くすために無線ＬＡＮアクセスポイントの台数を多くするあまり、無線ＬＡＮアクセスポイントが互いに近距離に配置されることがある（例えば、近接無線ＬＡＮアクセスポイント２０Ｅ、２０Ｆ）。すると、近接無線ＬＡＮアクセスポイント２０Ｅが通信端末３０ａ、３０ｂと無線通信を行う際に使用するチャネルと、近接無線ＬＡＮアクセスポイント２０Ｆが通信端末３０ｃ、３０ｄと無線通信を行う際に使用するチャネルとが一致してしまうこと（すなわち、電波干渉が生ずること）が多い。
【００４６】
そこで、本発明の第一の実施形態のように、スタンバイ近接無線ＬＡＮアクセスポイント２０Ｆが通信端末３０ｃ、３０ｄと無線通信を行わないようにすれば、近接無線ＬＡＮアクセスポイント２０Ｅと近接無線ＬＡＮアクセスポイント２０Ｆとの間で電波干渉が生じない。すなわち、本発明の第一の実施形態によれば、電波干渉を防止するために、通信端末３０ａ〜３０ｄとの無線通信を行う無線ＬＡＮアクセスポイントの台数を減らすように調整することができる。
【００４７】
なお、上記の実施形態においては、スタンバイを指示された近接無線ＬＡＮアクセスポイント２０Ｆは、かつて通信端末３０ａ〜３０ｄとの通信に使用していた５ＧＨｚ帯の無線通信インタフェースからの電波の送受信を行わないこととしている。しかし、スタンバイ近接無線ＬＡＮアクセスポイント２０Ｆの５ＧＨｚ帯の無線通信インタフェースを、無線ＬＡＮ２０におけるチャネルのスキャンに用いて、無線ＬＡＮ２０におけるチャネルの状態（例えば、チャンネルごとのMACアドレス数、パケット数、利用率およびエラーパケットの比率など）を取得するようにしてもよい。取得されたチャネルの状態は、コントローラ４０に与えられる。
【００４８】
第二の実施形態
第二の実施形態は、識別情報抽出部１１の抽出条件、すなわち近接無線ＬＡＮアクセスポイント２０Ｅ、２０Ｆが満たすべき要件が、第一の実施形態の場合（抽出条件１）よりもさらに追加されている（抽出条件２〜４）。また、第二の実施形態においては、スタンバイ近接無線ＬＡＮアクセスポイント２０Ｆをアクティブにする場合（アクティブ指示条件１〜３）についても説明する。
【００４９】
図４は、本発明の第二の実施形態にかかる通信システムの構成を示す図である。第二の実施形態にかかる通信システムは、無線ＬＡＮ２０、アクセスポイント制御装置１０、コントローラ４０、ＬＡＮケーブル５２、５４を備える。以下、第一の実施形態と同様な部分は同一の番号を付して説明を省略する。
【００５０】
無線ＬＡＮ２０は、第一の実施形態と同様である。ただし、図４においては、無線ＬＡＮアクセスポイント２０Ａ〜２０Ｈの各々が、他の無線ＬＡＮアクセスポイントから受信した電波の強度が、第一強度閾値（例えば９５％）未満かつ第二強度閾値以上である場合の、送信側および受信側の無線ＬＡＮアクセスポイントを細い破線で結んでいる。なお、第二強度閾値は、第一強度閾値未満である。
【００５１】
第二強度閾値は、例えば、（受信された電波の強度）／（送信元における電波の強度）＝２０％とすればよい。この２０％という値は、電波を受信する無線ＬＡＮアクセスポイントと、送信元の無線ＬＡＮアクセスポイントとが無線通信を行う場合に、受信側の無線ＬＡＮアクセスポイントにおいて必要とされる電波の強度を意味している。この２０％という値は、無線ＬＡＮアクセスポイントの仕様として定められている場合がある。
【００５２】
なお、無線ＬＡＮアクセスポイント２０Ａ〜２０Ｈの各々が、他の無線ＬＡＮアクセスポイントから受信した電波の強度が、第二強度閾値（例えば２０％）以上である場合、両者は「隣接」しているという。例えば、無線ＬＡＮアクセスポイント２０Ａが、無線ＬＡＮアクセスポイント２０Ｂから受信した電波の強度が５０％である場合、無線ＬＡＮアクセスポイント２０Ａと無線ＬＡＮアクセスポイント２０Ｂとは隣接している。
【００５３】
図４においては、隣接している無線ＬＡＮアクセスポイント２０Ａ〜２０Ｈが、太い破線または細い破線によって結ばれている。
【００５４】
なお、第二の実施形態においては、色々な閾値を用いる。図５は、第二の実施形態おいて用いる閾値の一覧を示す図である。第一強度閾値および第二強度閾値は、上記のとおりである。第一台数閾値（抽出条件２において使用）、第二台数閾値（抽出条件３において使用）、第三台数閾値（アクティブ指示条件３において使用）および差分閾値（抽出条件４において使用）については、後で説明する。
【００５５】
コントローラ４０は、第一の実施形態と同様である。図６は、第二の実施形態おけるコントローラ４０が取得する無線ＬＡＮアクセスポイント２０Ａ〜２０Ｈの情報の一例を示す図である。
【００５６】
図６においては、無線ＬＡＮアクセスポイント２０Ａ〜２０Ｈを、「２０Ａ〜２０Ｈ」と略記している。また、コントローラ４０は、受信側の無線ＬＡＮアクセスポイント２０Ａ〜２０Ｈの情報を取得する。図６においては、無線ＬＡＮアクセスポイント２０Ａ〜２０Ｈの各々が、他の無線ＬＡＮアクセスポイントから受信した電波の強度が図示されている。例えば、受信側の無線ＬＡＮアクセスポイント２０Ａの行における、送信側の無線ＬＡＮアクセスポイント２０Ｇの列の欄を参照すると、無線ＬＡＮアクセスポイント２０Ａが、無線ＬＡＮアクセスポイント２０Ｇから受信した電波の強度は７０％である。なお、受信した電波の強度が第二強度閾値未満である場合は、数値の記載を省略し、空欄にしてある。
【００５７】
ＬＡＮケーブル５２、５４は、第一の実施形態と同様であり、図示省略したスイッチと共に、アクセスポイント制御装置１０、コントローラ４０および無線ＬＡＮアクセスポイント２０Ａを接続する。
【００５８】
アクセスポイント制御装置１０の構成は、第一の実施形態と同様であるが（図２参照）、識別情報抽出部１１の抽出条件、すなわち近接無線ＬＡＮアクセスポイント２０Ｅ、２０Ｆが満たすべき要件が、第一の実施形態の場合よりもさらに追加されている。以下に、第二の実施形態おける識別情報抽出部１１の抽出条件１〜４を説明する。識別情報抽出部１１は、抽出条件１〜４の全てを満たす無線ＬＡＮアクセスポイントの識別情報を抽出する。すなわち、近接無線ＬＡＮアクセスポイント２０Ｅ、２０Ｆが満たすべき要件が、抽出条件１〜４の全てということである。
【００５９】
なお、電波干渉の防止のためには、抽出条件１があればよい。しかし、抽出条件１のみでは、スタンバイする無線ＬＡＮアクセスポイントの台数が多すぎ（アクセスポイント群につき最低１台）、通信端末３０ａ〜３０ｄを使用した通信に支障をきたすことがある。そこで、抽出条件２〜４を追加して、スタンバイする無線ＬＡＮアクセスポイントの台数を削減し、通信端末３０ａ〜３０ｄを使用した通信に支障をきたさないようにする。
【００６０】
（抽出条件１）第一強度閾値以上の強度の電波を受信していること
識別情報抽出部１１が、第一強度閾値（例えば、９５％）以上の強度の電波を受信している無線ＬＡＮアクセスポイントの識別情報を抽出するということは第一の実施形態と同様であるので、詳細な説明を省略する。
【００６１】
図６を参照して、第一強度閾値（例えば、９５％）以上の強度の電波を受信している無線ＬＡＮアクセスポイントは、無線ＬＡＮアクセスポイント２０Ｅ（送信側は無線ＬＡＮアクセスポイント２０Ｆ）および無線ＬＡＮアクセスポイント２０Ｆ（送信側は無線ＬＡＮアクセスポイント２０Ｅ）のみである。
【００６２】
（抽出条件２）第一台数閾値以上の無線ＬＡＮアクセスポイントと隣接すること
識別情報抽出部１１は、第一台数閾値（例えば、３台）以上の無線ＬＡＮアクセスポイントから、第二強度閾値（例えば、２０％）以上の強度の電波を受信している無線ＬＡＮアクセスポイントの識別情報を抽出する。すなわち、第一台数閾値（例えば、３台）以上の無線ＬＡＮアクセスポイントと隣接している無線ＬＡＮアクセスポイントを近接無線ＬＡＮアクセスポイントの要件とする。
【００６３】
近接無線ＬＡＮアクセスポイントは、第一の実施形態と同様に、いずれか一つ以上をスタンバイにする。その際、スタンバイ近接無線ＬＡＮアクセスポイント２０Ｆと通信していた通信端末３０ｃ、３０ｄは、アクティブ近接無線ＬＡＮアクセスポイント２０Ｅと無線通信を行うことになる。ここで、アクティブ近接無線ＬＡＮアクセスポイント２０Ｅが、ある程度多くの無線ＬＡＮアクセスポイントと隣接しているのであれば、メッシュネットワークを用いた通信は支障なく行えることが期待できる。よって、通信端末３０ｃ、３０ｄが、スタンバイ近接無線ＬＡＮアクセスポイント２０Ｆのかわりにアクティブ近接無線ＬＡＮアクセスポイント２０Ｅと無線通信を行うようにしても、無線ＬＡＮ２０を用いた通信は支障なく行えることが期待できる。
【００６４】
図６を参照して、第一台数閾値（例えば、３台）以上の無線ＬＡＮアクセスポイントから、第二強度閾値（例えば、２０％）以上の強度の電波を受信している無線ＬＡＮアクセスポイントは、無線ＬＡＮアクセスポイント２０Ａ（４台）、無線ＬＡＮアクセスポイント２０Ｂ（５台）、無線ＬＡＮアクセスポイント２０Ｃ（４台）、無線ＬＡＮアクセスポイント２０Ｄ（６台）、無線ＬＡＮアクセスポイント２０Ｅ（７台）、無線ＬＡＮアクセスポイント２０Ｆ（７台）、無線ＬＡＮアクセスポイント２０Ｇ（５台）、無線ＬＡＮアクセスポイント２０Ｈ（４台）である。
【００６５】
（抽出条件３）二台以上の無線ＬＡＮアクセスポイントの各々が、共通する第二台数閾値以上の無線ＬＡＮアクセスポイントと隣接すること
識別情報抽出部１１は、共通する第二台数閾値（例えば、３台）以上の無線ＬＡＮアクセスポイントから、第二強度閾値（例えば、２０％）以上の強度の電波を受信している二台以上の無線ＬＡＮアクセスポイントの識別情報を抽出する。すなわち、共通した第二台数閾値（例えば、３台）以上の無線ＬＡＮアクセスポイントと隣接していることを近接無線ＬＡＮアクセスポイントの要件とする。この場合、二台以上の近接無線ＬＡＮアクセスポイントの各々が、共通する第二台数閾値以上の無線ＬＡＮアクセスポイントから、第二強度閾値以上の強度の電波を受信している。
【００６６】
近接無線ＬＡＮアクセスポイントは、第一の実施形態と同様に、いずれか一つ以上をスタンバイにし、その他をアクティブにする。この場合、スタンバイ近接無線ＬＡＮアクセスポイント２０Ｆと通信していた通信端末３０ｃ、３０ｄは、アクティブ近接無線ＬＡＮアクセスポイント２０Ｅと無線通信を行うことになる。その際、アクティブ近接無線ＬＡＮアクセスポイントとスタンバイ近接無線ＬＡＮアクセスポイントとが、ある程度多くの共通した無線ＬＡＮアクセスポイントと隣接しているとする。すると、通信端末３０ｃ、３０ｄは、近接無線ＬＡＮアクセスポイント２０Ｅおよび近接無線ＬＡＮアクセスポイント２０Ｆのいずれと通信を行うにせよ、共通した無線ＬＡＮアクセスポイントを介して、メッシュネットワークを用いた通信を行えることが期待できる。よって、無線ＬＡＮ２０全体としてみれば無線通信を問題無く行える可能性が高まる。
【００６７】
図６を参照して、共通した第二台数閾値（例えば、３台）以上の無線ＬＡＮアクセスポイントから、第二強度閾値（例えば、２０％）以上の強度の電波を受信している二台以上の無線ＬＡＮアクセスポイントは、例えば、無線ＬＡＮアクセスポイント２０Ａおよび２０Ｄ（両者は共に、無線ＬＡＮアクセスポイント２０Ｂ、２０Ｅ、２０Ｆ、２０Ｇに隣接する）、無線ＬＡＮアクセスポイント２０Ｅおよび２０Ｆ（両者は共に、無線ＬＡＮアクセスポイント２０Ａ〜２０Ｄ、２０Ｇ、２０Ｈに隣接する）がある。
【００６８】
（抽出条件４）二台以上の無線ＬＡＮアクセスポイントの各々が共通して隣接する無線ＬＡＮアクセスポイントから受信している電波の強度の差分が所定の差分閾値以下であること
識別情報抽出部１１は、共通する無線ＬＡＮアクセスポイントから受信している電波の強度の差分が、いずれの共通する無線ＬＡＮアクセスポイントについても、所定の差分閾値（例えば、１０％）以下である二台以上の無線ＬＡＮアクセスポイントの識別情報を抽出する。すなわち、共通する無線ＬＡＮアクセスポイントから受信している電波の強度の差分が、いずれの共通する無線ＬＡＮアクセスポイントについても、所定の差分閾値以下であることを近接無線ＬＡＮアクセスポイントの要件とする。この場合、二台以上の近接無線ＬＡＮアクセスポイントの各々が共通する無線ＬＡＮアクセスポイントから受信している電波の強度の差分が、いずれの共通する無線ＬＡＮアクセスポイントについても、所定の差分閾値以下である。
【００６９】
近接無線ＬＡＮアクセスポイントは、第一の実施形態と同様に、いずれか一つ以上をスタンバイにし、その他をアクティブにする。この場合、スタンバイ近接無線ＬＡＮアクセスポイント２０Ｆと通信していた通信端末３０ｃ、３０ｄは、アクティブ近接無線ＬＡＮアクセスポイント２０Ｅと無線通信を行うことになる。その際、抽出条件３により、通信端末３０ｃ、３０ｄは、近接無線ＬＡＮアクセスポイント２０Ｅおよび近接無線ＬＡＮアクセスポイント２０Ｆのいずれと通信を行うにせよ、共通した無線ＬＡＮアクセスポイントを介して、メッシュネットワークを用いた通信を行えることが期待できる。ここで、その共通した無線ＬＡＮアクセスポイントの、アクティブ近接無線ＬＡＮアクセスポイント２０Ｅとの通信品質と、スタンバイ近接無線ＬＡＮアクセスポイント２０Ｆとの通信品質とに大きな差があることは好ましくない。よって、通信品質の差を、所定の差分閾値以下とすることが好ましい。
【００７０】
図６を参照して、共通する無線ＬＡＮアクセスポイントから受信している電波の強度の差分が、いずれの共通する無線ＬＡＮアクセスポイントについても、所定の差分閾値以下である二台以上の近接無線ＬＡＮアクセスポイントは、無線ＬＡＮアクセスポイント２０Ｅおよび２０Ｆのみである。
【００７１】
無線ＬＡＮアクセスポイント２０Ｅおよび２０Ｆ以外は、抽出条件４に合致しない。例えば、無線ＬＡＮアクセスポイント２０Ａおよび２０Ｄは、いずれも共通する無線ＬＡＮアクセスポイント２０Ｅから電波を受信しているが、その強度は、６０％（無線ＬＡＮアクセスポイント２０Ａが受信）および９０％（無線ＬＡＮアクセスポイント２０Ｄが受信）である、よって、受信強度の差分が９０％−６０％＝３０％となり、差分閾値（例えば、１０％）を超えるので、抽出条件４に合致しない。
【００７２】
結局、抽出条件１〜４の全てを満たす無線ＬＡＮアクセスポイントは、近接無線ＬＡＮアクセスポイント２０Ｅ、２０Ｆのみであるので、識別情報抽出部１１は、無線ＬＡＮアクセスポイント２０Ｅ、２０Ｆの識別情報を抽出する。
【００７３】
なお、第二の実施形態では、抽出条件１のみの場合でも、抽出条件１〜４の全ての場合でも、近接無線ＬＡＮアクセスポイント２０Ｅ、２０Ｆのみが適合するが、通常は、抽出条件１のみの場合よりも、抽出条件１〜４の全ての場合の方が、適合する無線ＬＡＮアクセスポイントの台数が少なくなる。
【００７４】
なお、アクティブ・スタンバイ指示部１４は、第一の実施形態と同様に、識別情報記録部１２の記録内容に基づき、いずれか一つの近接無線ＬＡＮアクセスポイント（近接無線ＬＡＮアクセスポイント２０Ｆ）にスタンバイを指示し、それ以外の近接無線ＬＡＮアクセスポイント（近接無線ＬＡＮアクセスポイント２０Ｅ）にアクティブを指示する。
【００７５】
図７は、本発明の第二の実施形態にかかる通信システムにおける近接無線ＬＡＮアクセスポイント２０Ｅ、２０Ｆのアクティブおよびスタンバイの状態を示す図である。
【００７６】
図７の例においては、アクティブ・スタンバイ指示部１４は、コントローラ４０および無線ＬＡＮアクセスポイント２０Ａを介して、近接無線ＬＡＮアクセスポイント２０Ｅ、２０Ｆのうち、近接無線ＬＡＮアクセスポイント（スタンバイ近接無線ＬＡＮアクセスポイント）２０Ｆにスタンバイを指示し、近接無線ＬＡＮアクセスポイント（アクティブ近接無線ＬＡＮアクセスポイント）２０Ｅにアクティブを指示する。
【００７７】
アクティブ近接無線ＬＡＮアクセスポイント２０Ｅは、メッシュネットワークにおけるメッシュアクセスポイントとして機能し、他の無線ＬＡＮアクセスポイント（例えば、無線ＬＡＮアクセスポイント２０Ａ、２０Ｂ、２０Ｃ、２０Ｄ、２０Ｇおよび２０Ｈ）の間の無線通信を中継し、通信端末３０ａ〜３０ｄとの無線通信も行う。
【００７８】
スタンバイ近接無線ＬＡＮアクセスポイント２０Ｆは、メッシュネットワークにおいて、メッシュポイントとして機能し（第一の実施形態と同様）、アクティブになるべき時機を待つ。
【００７９】
なお、アクティブ・スタンバイ指示部１４は、スタンバイ近接無線ＬＡＮアクセスポイント２０Ｆにアクティブを指示する。ただし、アクティブ・スタンバイ指示部１４が、スタンバイ近接無線ＬＡＮアクセスポイント２０Ｆにアクティブを指示するのは、以下のアクティブ指示条件１〜３のいずれかに該当する場合である。
【００８０】
（アクティブ指示条件１）アクティブ近接無線ＬＡＮアクセスポイント２０Ｅに障害が発生した場合
アクティブ・スタンバイ指示部１４は、アクティブ近接無線ＬＡＮアクセスポイント２０Ｅに障害が発生した場合に、スタンバイ近接無線ＬＡＮアクセスポイント２０Ｆにアクティブを指示する。
【００８１】
図８は、本発明の第二の実施形態にかかる通信システムにおいて、アクティブ近接無線ＬＡＮアクセスポイント２０Ｅに障害が発生した状態を示す図である。
【００８２】
図８の例においては、アクティブ・スタンバイ指示部１４は、コントローラ４０および無線ＬＡＮアクセスポイント２０Ａを介して、アクティブ近接無線ＬＡＮアクセスポイント２０Ｅに障害が発生したことを検知する。さらに、アクティブ・スタンバイ指示部１４は、コントローラ４０および無線ＬＡＮアクセスポイント２０Ａを介して、スタンバイ近接無線ＬＡＮアクセスポイント２０Ｆにアクティブを指示する。
【００８３】
すると、スタンバイ近接無線ＬＡＮアクセスポイント２０Ｆはアクティブとなり、アクティブ近接無線ＬＡＮアクセスポイント２０Ｅのかわりに、メッシュネットワークにおけるメッシュアクセスポイントとして機能し、他の無線ＬＡＮアクセスポイント（例えば、無線ＬＡＮアクセスポイント２０Ａ、２０Ｂ、２０Ｃ、２０Ｄ、２０Ｇおよび２０Ｈ）の間の無線通信を中継すると共に、通信端末３０ａ〜３０ｄとの無線通信も行う。
【００８４】
（アクティブ指示条件２）アクティブ近接無線ＬＡＮアクセスポイント２０Ｅが、いずれか一つ以上の無線ＬＡＮアクセスポイントから第二強度閾値以上の強度の電波を（かつて受信できていたのに）受信できなくなった場合
アクティブ・スタンバイ指示部１４は、アクティブ近接無線ＬＡＮアクセスポイント２０Ｅにより受信されている第二強度閾値（例えば、２０％）以上の強度の電波を送信するいずれか一つ以上の無線ＬＡＮアクセスポイント（例えば、無線ＬＡＮアクセスポイント２０Ｂ、２０Ｃ）から、アクティブ近接無線ＬＡＮアクセスポイント２０Ｅが第二強度閾値以上の強度の電波を受信できなくなった場合に、スタンバイ近接無線ＬＡＮアクセスポイント２０Ｆにアクティブを指示する。
【００８５】
図９は、本発明の第二の実施形態にかかる通信システムにおいて、アクティブ近接無線ＬＡＮアクセスポイント２０Ｅが、無線ＬＡＮアクセスポイント２０Ｂ、２０Ｃから第二強度閾値以上の強度の電波を受信できなくなった状態を示す図である。
【００８６】
図９の例においては、アクティブ・スタンバイ指示部１４は、コントローラ４０および無線ＬＡＮアクセスポイント２０Ａを介して、アクティブ近接無線ＬＡＮアクセスポイント２０Ｅが、無線ＬＡＮアクセスポイント２０Ｂ、２０Ｃから、第二強度閾値以上の強度の電波を受信できなくなったことを検知する。なお、アクティブ近接無線ＬＡＮアクセスポイント２０Ｅは、かつて、無線ＬＡＮアクセスポイント２０Ｂ、２０Ｃから、第二強度閾値以上の強度の電波を受信していたことに留意されたい（図６および図７参照）。このように受信できなくなったことの原因は、例えば、無線ＬＡＮ２０が配置されているオフィスの工事またはレイアウト変更などによる無線環境の変化が考えられる。
【００８７】
さらに、アクティブ・スタンバイ指示部１４は、コントローラ４０および無線ＬＡＮアクセスポイント２０Ａを介して、スタンバイ近接無線ＬＡＮアクセスポイント２０Ｆにアクティブを指示する。
【００８８】
すると、スタンバイ近接無線ＬＡＮアクセスポイント２０Ｆはアクティブとなり、アクティブ近接無線ＬＡＮアクセスポイント２０Ｅと共に、メッシュネットワークにおけるメッシュアクセスポイントとして機能し、他の無線ＬＡＮアクセスポイント（特に、無線ＬＡＮアクセスポイント２０Ｂおよび２０Ｃ）との間で無線通信を行う。無線ＬＡＮアクセスポイント２０Ｂおよび２０Ｃは、アクティブ近接無線ＬＡＮアクセスポイント２０Ｅにかえて、スタンバイ近接無線ＬＡＮアクセスポイント２０Ｆと無線通信を行うこととなる。なお、近接無線ＬＡＮアクセスポイント２０Ｅは通信端末３０ａ、３０ｂと無線通信を行い、近接無線ＬＡＮアクセスポイント２０Ｆは通信端末３０ｃ、３０ｄと無線通信を行う。
【００８９】
（アクティブ指示条件３）アクティブ近接無線ＬＡＮアクセスポイント２０Ｅと通信を行う通信端末の台数が第三台数閾値（例えば、５台）以上に増加した場合
アクティブ・スタンバイ指示部１４は、アクティブ近接無線ＬＡＮアクセスポイント２０Ｅと通信を行う通信端末の台数が第三台数閾値（例えば、５台）以上に増加した場合に、スタンバイ近接無線ＬＡＮアクセスポイント２０Ｆにアクティブを指示する。
【００９０】
図１０は、本発明の第二の実施形態にかかる通信システムにおいて、アクティブ近接無線ＬＡＮアクセスポイント２０Ｅの近傍に新たな通信端末３０ｅが配置された状態を示す図である。
【００９１】
図１０の例においては、アクティブ・スタンバイ指示部１４は、コントローラ４０および無線ＬＡＮアクセスポイント２０Ａを介して、アクティブ近接無線ＬＡＮアクセスポイント２０Ｅの近傍に新たな通信端末３０ｅが配置されたことを検知した結果、アクティブ近接無線ＬＡＮアクセスポイント２０Ｅに５台の通信端末３０ａ〜３０ｅが通信していることを検知する。これは、近接無線ＬＡＮアクセスポイント２０Ｅにとって、過負荷である。
【００９２】
さらに、アクティブ・スタンバイ指示部１４は、コントローラ４０および無線ＬＡＮアクセスポイント２０Ａを介して、スタンバイ近接無線ＬＡＮアクセスポイント２０Ｆにアクティブを指示する。
【００９３】
すると、スタンバイ近接無線ＬＡＮアクセスポイント２０Ｆはアクティブとなり、アクティブ近接無線ＬＡＮアクセスポイント２０Ｅと共に、メッシュネットワークにおけるメッシュアクセスポイントとして機能する。例えば、近接無線ＬＡＮアクセスポイント２０Ｅが通信端末３０ａ、３０ｂとの通信を行い、近接無線ＬＡＮアクセスポイント２０Ｆが通信端末３０ｃ、３０ｄ、３０ｅとの通信を行う。これにより、アクティブ近接無線ＬＡＮアクセスポイント２０Ｅへの過負荷を避けることができる。
【００９４】
次に、本発明の第二の実施形態の動作を説明する。
【００９５】
まず、コントローラ４０が、無線ＬＡＮアクセスポイント２０Ａを介して、無線ＬＡＮアクセスポイント２０Ａ〜２０Ｈの各々から、その無線ＬＡＮアクセスポイントが、他の無線ＬＡＮアクセスポイントから受信した電波の強度を取得する。
【００９６】
アクセスポイント制御装置１０の識別情報抽出部１１は、コントローラ４０から、各々の無線ＬＡＮアクセスポイントが受信した電波の強度を取得し、抽出条件１〜４の全てを満たす無線ＬＡＮアクセスポイント（近接無線ＬＡＮアクセスポイント２０Ｅ、２０Ｆ）の識別情報を抽出する。識別情報記録部１２は、識別情報抽出部１１の抽出結果を記録する。
【００９７】
アクティブ・スタンバイ指示部１４は、識別情報記録部１２の記録内容に基づき、いずれか一つの近接無線ＬＡＮアクセスポイント（近接無線ＬＡＮアクセスポイント２０Ｆ）にスタンバイを指示し、それ以外の近接無線ＬＡＮアクセスポイント（近接無線ＬＡＮアクセスポイント２０Ｅ）にアクティブを指示する。
【００９８】
この指示内容は、コントローラ４０および無線ＬＡＮアクセスポイント２０Ａを介して、近接無線ＬＡＮアクセスポイント２０Ｅ、２０Ｆに伝達される。近接無線ＬＡＮアクセスポイント２０Ｅ、２０Ｆは、この指示に従い、近接無線ＬＡＮアクセスポイント２０Ｆがスタンバイとなり、近接無線ＬＡＮアクセスポイント２０Ｅがアクティブとなる。
【００９９】
近接無線ＬＡＮアクセスポイント２０Ｅはメッシュネットワークにおけるメッシュアクセスポイントとして機能し（例えば、無線ＬＡＮアクセスポイント２０Ｂおよび２０Ｇなどの無線通信の中継と、通信端末３０ａ〜３０ｄとの無線通信を行う）、近接無線ＬＡＮアクセスポイント２０Ｆはスタンバイする（メッシュポイントとして機能し、例えば、無線ＬＡＮアクセスポイント２０Ｂおよび２０Ｇなどの無線通信の中継を行うが、通信端末３０ａ〜３０ｄとの無線通信は行わない）。
【０１００】
この後、無線環境の変化などにより、アクティブ指示条件１〜３のいずれかに該当することとなった場合に、アクティブ・スタンバイ指示部１４は、コントローラ４０および無線ＬＡＮアクセスポイント２０Ａを介して、スタンバイ近接無線ＬＡＮアクセスポイント２０Ｆにアクティブを指示する。
【０１０１】
本発明の第二の実施形態によれば、抽出条件１に加えて、抽出条件２〜４が追加されているので、第一の実施形態に比べて、スタンバイする無線ＬＡＮアクセスポイントの台数を削減することができる。これにより、第一の実施形態に比べて、通信端末３０ａ等との無線通信を行う無線ＬＡＮアクセスポイントの台数を増やすように調整でき、ひいては通信端末３０ａ等による通信に支障をきたさないようにすることができる。
【０１０２】
さらに、本発明の第二の実施形態によれば、アクティブ指示条件１〜３のいずれかに該当することとなった場合に、スタンバイ近接無線ＬＡＮアクセスポイント２０Ｆがアクティブとなるので、無線環境の変化などに対応可能である。
【０１０３】
なお、第一および第二の実施形態においては、アクセスポイント制御装置１０とコントローラ４０とは別体であったが、一体であってもよい。
【０１０４】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータに、上記の各部分、例えばアクセスポイント制御装置１０の各部分を実現するプログラムを記録したメディアを読み取らせて、ハードディスクにインストールする。このような方法でも、上記の機能を実現できる。
【符号の説明】
【０１０５】
１０  アクセスポイント制御装置
１１  識別情報抽出部
１２  識別情報記録部
１４  アクティブ・スタンバイ指示部
２０  無線ＬＡＮ
２０Ａ、２０Ｂ、２０Ｃ、２０Ｄ、２０Ｅ、２０Ｆ、２０Ｇ、２０Ｈ  無線ＬＡＮアクセスポイント
２０Ｅ、２０Ｆ  近接無線ＬＡＮアクセスポイント
２０Ｅ  アクティブ近接無線ＬＡＮアクセスポイント
２０Ｆ  スタンバイ近接無線ＬＡＮアクセスポイント
２０Ａ、２０Ｂ、２０Ｃ、２０Ｄ、２０Ｇ、２０Ｈ  遠隔無線ＬＡＮアクセスポイント
２２  アクセスポイント群
３０ａ、３０ｂ、３０ｃ、３０ｄ、３０ｅ  通信端末
４０  コントローラ
【図１】
2019036815.tif 000003
【図２】
2019036815.tif 000004
【図３】
2019036815.tif 000005
【図４】
2019036815.tif 000006
【図５】
2019036815.tif 000007
【図６】
2019036815.tif 000008
【図７】
2019036815.tif 000009
【図８】
2019036815.tif 000010
【図９】
2019036815.tif 000011
【図１０】
2019036815.tif 000012